(57)【要約】【課題】  簡便な操作によって、１回の押下で入力できるコマンドの数をキーの数よりも多くした入力装置を実現すること。【解決手段】  近接しあう複数のキーを１本の指によってあわせて押下できるようにキーとキーの間を狭めてキーを配置した入力操作盤と、１本の指によってあわせて押下できる複数のキーがすべて押下された状態となる操作について押下されている個々のキーのコマンドとは異なる別のコマンドを与える入力方法とによって、１回の押下で入力できるコマンドの数をキーの数よりも多くした入力装置を提供すること。【選択図】図１
2005100211.tif 000002
【特許請求の範囲】
【請求項１】
複数のキーを配置した入力操作盤において、一部又は全部のキーについて、近接しあう複数のキーを１本の指によってあわせて押下できるようにキーとキーの間を狭めてキーを配置した入力操作盤と、１本の指によってあわせて押下できる複数のキーがすべて押下された状態となる操作について押下されている個々のキーのコマンドとは異なる別のコマンドを与える入力方法とによって、１回の押下で入力できるコマンドの数をキーの数よりも多くしたことを特徴とする入力装置。
【請求項２】
仮名５０音図の４６文字のうち４５文字までのそれぞれを１回の押下で入力できるように１５個のキーを配置した請求項１に記載の入力装置。
【請求項３】
仮名５０音図の４６文字のうち３５文字までのそれぞれを１回の押下で入力できるように１２個のキーを配置した請求項１に記載の入力装置。
【請求項４】
アルファベット２６文字のそれぞれを１回の押下で入力できるように１０個のキーを配置した請求項１に記載の入力装置。
【請求項５】
仮名５０音図の４６文字のそれぞれを１回の押下で入力できるように１２個のキーを配置した請求項１に記載の入力装置。
【請求項６】
電話機に配置されている「０」から「９」までの数字と「＊」、「＃」の記号のそれぞれを１回の押下で入力できるように４個のキーを配置した請求項１に記載の入力装置。
【請求項７】
キーの下部に棒状の張り出し部を備え、前記張り出し部を介して離れた位置にあるキーを押下することができるキーで、一般のキーのような独自のコマンドをもたないキー。（以下、遠隔操作キーという。）
【請求項８】
仮名５０音図の４６文字のそれぞれを１回の押下で入力でき、且つ仮名５０音図にほぼ忠実な形で配置できるように１５個のキー（請求項７に記載の遠隔操作キー３個を含む。）を配置した請求項１に記載の入力装置。
【発明の詳細な説明】
【技術分野】
【０００１】
本発明は、文字・数字・記号・機能など多くのコマンドの入力が必要となる機器のうち、入力操作が煩雑になることを嫌ってコマンドの数と同数程度のキーを配置したために機器の小型化を阻害していたり、又はキーの配置できる数に制限があるためコマンドの数を下回るキーの数で対応した結果、入力操作が煩雑になっていたりするような問題点を抱える分野の改善に有効な入力装置に関するものである。
【背景技術】
【０００２】
多くのコマンドを入力するために取られている代表的な入力装置の例として、第１に携帯電子辞書の入力装置のように１個のキーに１個のコマンドを張り付けたもの、第２に携帯電話の入力装置のように１個のキーにひらがなであれば３〜５個のコマンド、またアルファベットであれば３〜４個のコマンドを張り付けたものがある。
【発明の開示】
【発明が解決しようとする課題】
【０００３】
簡便な操作によって、１回の押下で入力できるコマンドの数をキーの数よりも多くした入力装置を実現すること。
【課題を解決するための手段】
【０００４】
近接しあう複数のキーを１本の指によってあわせて押下できるようにキーとキーの間を狭めてキーを配置した入力操作盤と、１本の指によってあわせて押下できる複数のキーがすべて押下された状態となる操作について押下されている個々のキーのコマンドとは異なる別のコマンドを与える入力方法とからなる入力装置を提供すること。
【発明の効果】
【０００５】
機器の小型化、又は煩雑な入力操作の解消が可能となるほか、機器の小型化の場合にはキーの数が減らせることに伴なう製造コストの低減が可能となる。
【発明を実施するための最良の形態】
【０００６】
以下、本発明を実施するための最良の形態を図１に基づいて説明する。
【０００７】
図１は本発明を具現した入力操作盤の平面図である。仮名５０音図の４６文字のうち４５文字までのそれぞれを１回の押下で入力できるように１５個のキーを横３列、縦５列に近接して配置したものである。
【０００８】
入力方法は１個のキーを押下してコマンドを入力する操作（以下、単独入力という。）と２個以上のキーをあわせて押下してコマンドを入力する操作（以下、複合入力という。）に大別でき、このうち複合入力は２個のキーをあわせて押下してコマンドを入力する操作（以下、２個押し入力という。）、３個のキーをあわせて押下してコマンドを入力する操作（以下、３個押し入力という。）、４個のキーをあわせて押下してコマンドを入力する操作（以下、４個押し入力という。）というように、あわせて押下するキーの合計数によって分類されるもので、この複合入力が本発明を構成する１つの要素となる入力方法である。
【０００９】
図１の入力操作盤は、入力できるポイントが単独入力１５ヵ所、複合入力３０ヵ所の合計４５ヵ所あり、仮名５０音図の４６文字のうち「ん」を除く「あ」〜「を」までの４５文字を、できるだけ仮名５０音図の配列を崩さないように、配置したものである。
【００１０】
「あ」〜「を」までの４５文字の入力の仕方は、「あ」はキー１の単独入力、「い」はキー１とキー２の２個押し入力、「う」はキー２の単独入力、「え」はキー２とキー３の２個押し入力、「お」はキー３の単独入力、「か」はキー１とキー４の２個押し入力、「き」はキー１とキー２とキー４とキー５の４個押し入力、「く」はキー２とキー５の２個押し入力、「け」はキー２とキー３とキー５とキー６の４個押し入力、「こ」はキー３とキー６の２個押し入力、というように残り３５文字も同様の要領で入力していくものである。なお「ん」は携帯電話に使われている入力方法を用いることとして、前記４５ヵ所のうちの任意の入力ポイント１ヵ所の２回押下で対応するものである。
【実施例１】
【００１１】
図２は本発明を電話機に配置されている「０」〜「９」と「＊」、「＃」からなる１２個のキーにあてはめた入力操作盤の平面図で、入力できるポイントが単独入力１２ヵ所、複合入力２３ヵ所の合計３５ヵ所あり、仮名５０音図の４６文字のうち「あ」〜「も」までの３５文字をそれぞれ１回の押下で入力できるように配置したものである。
【００１２】
「あ」〜「も」までの３５文字の入力の仕方は、「あ」はキー１６の単独入力、「い」はキー１６とキー１７の２個押し入力、「う」はキー１７の単独入力、「え」はキー１７とキー１８の２個押し入力、「お」はキー１８の単独入力、「か」はキー１６とキー１９の２個押し入力、「き」はキー１６とキー１７とキー１９とキー２０の４個押し入力、「く」はキー１７とキー２０の２個押し入力、「け」はキー１７とキー１８とキー２０とキー２１の４個押し入力、「こ」はキー１８とキー２１の２個押し入力、というように残り２５文字も同様の要領で入力していくものである。なお「や」〜「ん」までの１１文字は携帯電話に使われている入力方法を用いることとして、前記３５ヵ所のうちの任意の入力ポイント１１ヵ所の２回押下で対応するものである。
【実施例２】
【００１３】
図３は本発明を電話機に配置されている「１」〜「９」と「＊」からなる１０個のキーにあてはめた入力操作盤の平面図で、入力できるポイントが単独入力１０ヵ所、複合入力１７ヵ所の合計２７ヵ所あり、アルファベット「A」〜「Z」の２６文字をそれぞれ１回の押下で入力できるように配置したものである。
【００１４】
アルファベット「A」〜「Z」の２６文字の入力の仕方は、「A」はキー２８の単独入力、「B」はキー２８とキー２９の２個押し入力、「C」はキー２９の単独入力、「D」はキー２９とキー３０の２個押し入力、「E」はキー３０の単独入力、「F」はキー２８とキー３１の２個押し入力、「G」はキー２８とキー２９とキー３１とキー３２の４個押し入力、「H」はキー２９とキー３２の２個押し入力、「I」はキー２９とキー３０とキー３２とキー３３の４個押し入力、「J」はキー３０とキー３３の２個押し入力、というように残り１６文字も同様の要領で入力していくものである。
【実施例３】
【００１５】
図４は本発明を電話機に配置されている「０」〜「９」と「＊」、「＃」からなる１２個のキーにあてはめ、且つ仮名５０音図の「あ」〜「ん」までの４６文字すべてをそれぞれ１回の押下で入力できるように、入力できるポイントが単独入力１２ヵ所、複合入力３５ヵ所の合計４７ヵ所ある入力操作盤の平面図である。
【００１６】
「あ」〜「ん」までの４６文字の入力の仕方は、「あ」はキー３８の単独入力、「い」はキー３８とキー３９の２個押し入力、「う」はキー３９の単独入力、「え」はキー３９とキー４０の２個押し入力、「お」はキー４０の単独入力、「か」はキー３８とキー４１の２個押し入力、「き」はキー３９とキー４１とキー４２の３個押し入力、「く」はキー３９とキー４２の２個押し入力、「け」はキー４０とキー４２とキー４３の３個押し入力、「こ」はキー４０とキー４３の２個押し入力、「ら」はキー４１とキー４２とキー４４の３個押し入力、「り」はキー４２とキー４４の２個押し入力、「る」はキー４２とキー４３とキー４５の３個押し入力、「れ」はキー４３とキー４５の２個押し入力、というように残り３２文字も同様の要領で入力していくものである。
【実施例４】
【００１７】
図５は例えば腕時計型電話機のような小型の電話機の開発に当たって、「０」〜「９」と「＊」、「＃」からなる１２個のキーを配置することがスペース上困難になったときに有効な、４個のキーで１３個の入力ポイントをもつ本発明による入力操作盤の平面図である。
【００１８】
入力の仕方は、「０」はキー５３の単独入力、「１」はキー５０とキー５２の２個押し入力、「２」はキー５０とキー５１の２個押し入力、「３」はキー５１とキー５２の２個押し入力、「４」はキー５０とキー５２とキー５３の３個押し入力、「５」はキー５０とキー５１とキー５３の３個押し入力、「６」はキー５１とキー５２とキー５３の３個押し入力、「７」はキー５０の単独入力、「８」はキー５１の単独入力、「９」はキー５２の単独入力、「１０」はキー５０とキー５３の２個押し入力、「１１」はキー５１とキー５３の２個押し入力、「１２」はキー５２とキー５３の２個押し入力である。
【実施例５】
【００１９】
図８は仮名５０音図の「あ」〜「ん」までの４６文字すべてをそれぞれ１回の押下で入力でき、且つ前記４６文字を仮名５０音図にほぼ忠実な形で配置した本発明による入力操作盤の平面図である。図６と図７による、キーの下部に棒状の張り出し部を備え、前記張り出し部を介して離れた位置にあるキーを押下することができるキーで、一般のキーのような独自のコマンドをもたないキー（以下、遠隔操作キーという。）３個と、電話機に配置されている「０」〜「９」と「＊」、「＃」からなる１２個のキーの合計１５個のキーからなり、入力できるポイントは単独入力１２ヵ所、複合入力３８ヵ所の合計５０ヵ所である。
【００２０】
「あ」〜「ん」までの４６文字の入力の仕方は、「あ」はキー５８の単独入力、「い」はキー５８とキー５９の２個押し入力、「う」はキー５９の単独入力、「え」はキー５９とキー６０の２個押し入力、「お」はキー６０の単独入力、「か」はキー５８とキー５９とキー６１の３個押し入力、「き」はキー５９とキー６１の２個押し入力、「く」はキー５９とキー６０とキー６２の３個押し入力、「け」はキー６０とキー６２の２個押し入力、「こ」はキー６０とキー６３と遠隔操作キー７０（遠隔操作キー７０はキー５９を押下する遠隔操作キーである。同様に遠隔操作キー７１はキー６２を、また遠隔操作キー７２はキー６５をそれぞれ押下する遠隔操作キーである。）の３個押し入力、「さ」はキー５８とキー６１の２個押し入力、「し」はキー５９とキー６１とキー６２の３個押し入力、「す」はキー５９とキー６２の２個押し入力、「せ」はキー６０とキー６２とキー６３の３個押し入力、「そ」はキー６０とキー６３の２個押し入力、というように残り３１文字も同様の要領で入力していくものである。
【図面の簡単な説明】
【００２１】
【図１】仮名５０音図の４６文字のうち４５文字までのそれぞれを１回の押下で入力できるように１５個のキーを配置した入力操作盤の平面図。（発明を実施するための最良の形態）
【図２】仮名５０音図の４６文字のうち３５文字までのそれぞれを１回の押下で入力できるように１２個のキーを配置した入力操作盤の平面図。（実施例１）
【図３】アルファベット２６文字のそれぞれを１回の押下で入力できるように１０個のキーを配置した入力操作盤の平面図。（実施例２）
【図４】仮名５０音図の４６文字のそれぞれを１回の押下で入力できるように１２個のキーを配置した入力操作盤の平面図。（実施例３）
【図５】電話機に配置されている「０」から「９」までの数字と「＊」、「＃」の記号のそれぞれを１回の押下で入力できるように４個のキーを配置した入力操作盤の平面図。（実施例４）
【図６】遠隔操作キーの平面図
【図７】遠隔操作キーの立面図
【図８】仮名５０音図の４６文字のそれぞれを１回の押下で入力でき、且つ仮名５０音図にほぼ忠実な形で配置できるように１５個のキー（遠隔操作キー３個を含む。）を配置した入力操作盤の平面図。（実施例５）
【符号の説明】
【００２２】
１〜５３      キー
５４、５６    遠隔操作キー本体部
５５、５７    遠隔操作キー張り出し部
５８〜６９    キー
７０〜７２    遠隔操作キー
【図１】
2005100211.tif 000003
【図２】
2005100211.tif 000004
【図３】
2005100211.tif 000005
【図４】
2005100211.tif 000006
【図５】
2005100211.tif 000007
【図６】
2005100211.tif 000008
【図７】
2005100211.tif 000009
【図８】
2005100211.tif 000010